(57)【特許請求の範囲】
【請求項１】
エレベータの用品ごとに、異常発生時の状況を示す異常時状況情報を記憶する異常時状況情報記憶部と、
前記エレベータの起動回数および前記用品ごとの使用環境の情報を取得し、取得した情報に基づいて、前記用品ごとの現在からの寿命を推定する用品寿命推定部と、
前記用品寿命推定部で推定された、前記用品ごとの寿命の情報を、前記エレベータに接続された表示装置に表示させる表示制御部と、
前記表示装置に前記用品ごとの寿命の情報が表示された後に、前記用品のいずれかについて、疑似的に異常発生時と同等の状況にするための異常時状況動作指示を取得すると、前記異常時状況情報記憶部から該当する用品の異常時状況情報を取得し、前記エレベータに、該当する状況にするための動作を実行させる動作制御部と、
を備えることを特徴とするエレベータ制御装置。
【請求項２】
前記用品寿命推定部で推定された前記用品ごとの寿命が、所定期間以下であるか否かをそれぞれ判定する寿命判定部をさらに備え、
前記表示制御部は、寿命判定部において、推定された寿命が所定期間以下であると判定された用品の情報を、前記表示装置に表示させる
ことを特徴とする請求項１に記載のエレベータ制御装置。
【請求項３】
前記用品ごとに、前記用品寿命推定部で推定された寿命までの経過期間ごとに、寿命が近づく影響で起こりうる状況を予測する状況予測部をさらに備え、
前記動作制御部は、前記用品のいずれかについて、疑似的に所定期間経過後と同等の状況にするための期間経過時状況動作指示を取得すると、前記状況予測部で予測された、該当する用品の該当する経過期間後の状況にするための動作を実行させる
ことを特徴とする請求項１または２に記載のエレベータ制御装置。
【請求項４】
前記用品ごとの保守に関する情報を入力する保守情報入力部をさらに備え、
前記用品寿命推定部は、前記エレベータの起動回数、使用環境、および前記保守情報入力部から入力された情報に基づいて、前記用品ごとの寿命を推定する
ことを特徴とする請求項１〜３いずれか１項に記載のエレベータ制御装置。
【請求項５】
前記状況予測部で予測された情報に基づいて、前記用品ごとおよび寿命までの経過期間ごとに、他の用品に及ぼす作用を予測する作用予測部をさらに備え、
前記動作制御部は、前記用品のいずれかについて、前記期間経過時状況動作指示とともに、他の用品に及ぼす作用を確認するための作用確認指示を取得すると、前記状況予測部で予測された、該当する用品の該当する経過期間の状況にするための動作を実行させる際に、該当する用品の該当する期間経過時の他の用品に及ぼす作用を含めた動作を実行させる
ことを特徴とする請求項３に記載のエレベータ制御装置。
【請求項６】
エレベータ制御装置が、
エレベータの用品ごとに、異常発生時の状況を示す異常時状況情報を記憶し、
前記エレベータの起動回数および前記用品ごとの使用環境の情報を取得し、取得した情報に基づいて、前記用品ごとの現在からの寿命を推定し、
推定された前記用品ごとの寿命の情報を、前記エレベータに接続された表示装置に表示させ、
前記表示装置に、前記用品ごとの寿命の情報が表示された後に、前記用品のいずれかについて、疑似的に異常発生時と同等の状況にするための異常時状況動作指示を取得すると、記憶した情報の中から該当する用品の異常時状況情報を取得し、前記エレベータに、該当する状況にするための動作を実行させる
ことを特徴とするエレベータのリニューアル支援方法。
【発明の詳細な説明】
【技術分野】
【０００１】
本発明の実施形態は、エレベータ制御装置およびエレベータのリニューアル支援方法に関する。
【背景技術】
【０００２】
エレベータには寿命があり、法定耐用年数は１７年と定められている。そのため、この耐用年数が経過するまでに新たなエレベータにリニューアルをすることで、安全にエレベータを使用し続けることができる。
【先行技術文献】
【特許文献】
【０００３】
【特許文献１】特開２０１８−１８４２８７号公報
【発明の概要】
【発明が解決しようとする課題】
【０００４】
一方で、使用期間中に点検や部品交換等を適宜行うことで、法定耐用年数を超えてもある程度は利用が可能である。そのため、管理者の故障に対する危機感が薄くなり、法定耐用年数を超えても使用し続けることがある。しかし、適正にエレベータを利用し続けるためには適切な時期にリニューアルを行うことが必要であるため、リニューアルに関する管理者の意識を向上させることが望まれていた。
【０００５】
本発明は上記事情に鑑みてなされたものであり、エレベータのリニューアルに関する、エレベータ管理者の意識を向上させるための支援を行う、エレベータ制御装置およびエレベータのリニューアル支援方法の提供を目的とする。
【課題を解決するための手段】
【０００６】
上記目的を達成するための実施形態によればエレベータ制御装置は、異常時状況情報記憶部と用品寿命推定部と表示制御部と動作制御部とを備える。異常時状況情報記憶部は、エレベータの用品ごとに、異常発生時の状況を示す異常時状況情報を記憶する。用品寿命推定部は、前記エレベータの起動回数および前記用品ごとの使用環境の情報を取得し、取得した情報に基づいて、前記用品ごとの現在からの寿命を推定する。表示制御部は、前記用品寿命推定部で推定された、前記用品ごとの寿命の情報を、前記エレベータに接続された表示装置に表示させる。動作制御部は、前記表示装置に前記用品ごとの寿命の情報が表示された後に、前記用品のいずれかについて、疑似的に異常発生時と同等の状況にするための異常時状況動作指示を取得すると、前記異常時状況情報記憶部から該当する用品の異常時状況情報を取得し、前記エレベータに、該当する状況にするための動作を実行させる。
【図面の簡単な説明】
【０００７】
【図１】第１実施形態によるエレベータ制御装置を利用したエレベータの構成を示す全体図。
【図２】第１実施形態によるエレベータ制御装置の動作を示すフローチャート。
【図３】第２実施形態によるエレベータ制御装置を利用したエレベータの構成を示す全体図。
【図４】第２実施形態によるエレベータ制御装置の動作を示すフローチャート。
【図５】第３実施形態によるエレベータ制御装置を利用したエレベータの構成を示す全体図。
【図６】第３実施形態によるエレベータ制御装置の動作を示すフローチャート。
【図７】第４実施形態によるエレベータ制御装置を利用したエレベータの構成を示す全体図。
【図８】第５実施形態によるエレベータ制御装置を利用したエレベータの構成を示す全体図。
【図９】第５実施形態によるエレベータ制御装置の動作を示すフローチャート。
【発明を実施するための形態】
【０００８】
《第１実施形態》
〈第１実施形態によるエレベータ制御装置を利用したエレベータの構成〉
本発明の第１実施形態によるエレベータ制御装置を利用したエレベータの構成について、図１を参照して説明する。本実施形態によるエレベータ１Ａは、建物内の昇降路２上部に設置された巻き上げ機３と、巻き上げ機３にロープ４で吊り下げられ、昇降路２内を走行する乗りかご５と、乗りかご５にテールコード６を介して接続されるとともに巻き上げ機３に信号線で接続されたエレベータ制御装置７Ａとを備える。
【０００９】
乗りかご５は、エレベータの管理人および利用者が各種操作を行うためのかご内操作盤５１と、かご内表示装置５２とを有する。かご内操作盤５１は、物理ボタンやタッチパネルで構成され、利用者や管理者が操作することでエレベータ制御装置７Ａに対して信号を出力する。かご内表示装置５２は、液晶インジケータやドットマトリックスインジケータ等で構成され、エレベータ制御装置７Ａから出力された情報を表示する。
【００１０】
エレベータ制御装置７Ａは、起動回数計測部７０１と、使用環境判定部７０２と、用品寿命推定部７０３と、操作情報取得部７０４と、表示制御部７０５と、異常時状況情報記憶部７０６と、運転モード切替部７０７と、動作制御部７０８とを有する。
【００１１】
起動回数計測部７０１は、エレベータ１Ａが停止状態（未応答の呼び登録がなくなり乗りかご５が乗り捨てられた状態）から走行状態に移行するために起動した回数を計数する。使用環境判定部７０２は、エレベータ１Ａの用品ごとの使用環境を示す情報を判定する。用品とは、エレベータ１Ａを構成する用品であり、例えばロープ４や巻き上げ機３のブレーキ等、定期的な保守点検時に交換しないが、寿命がくるとエレベータ１Ａの運転に影響を与えるものを含む。使用環境とは例えば、該当する用品が設置されている箇所の温度や湿度、塩分濃度等である。
【００１２】
用品寿命推定部７０３は、起動回数計測部７０１で計測されたエレベータ１Ａの起動回数と、使用環境判定部７０２で判定された各用品の使用環境の情報に基づいて、用品ごとの現在からの寿命を推定する。寿命の推定処理は、過去に発生した故障時のデータを参照して実行してもよいし、アレニウスモデル等の計算により推定処理を実行してもよい。
【００１３】
操作情報取得部７０４は、エレベータ１Ａの管理者による操作情報を取得する。表示制御部７０５は、用品寿命推定部７０３で推定された用品ごとの寿命の情報等を、かご内表示装置５２に表示させる。異常時状況情報記憶部７０６は、用品ごとに、異常発生時のエレベータ１Ａの状況を示す異常時状況情報を記憶する。異常時状況情報としては例えば、巻き上げ機３で異常が発生した際に起こる乗りかご５内への利用者の閉じ込めや、着床検出センサで異常が発生した際に起こる乗りかご５の着床位置のずれ等がある。
【００１４】
運転モード切替部７０７は、動作制御部７０８によるエレベータ１Ａの運転モードを、通常運転モードと、疑似的に所定用品の異常発生時と同等の状況にするため運転を行う疑似運転モードとで切り替える。動作制御部７０８は、通常時は通常運転モードでエレベータ１Ａ内の機器を制御し、運転モード切替部７０７により疑似運転モードに切り替えられると、異常時状況情報記憶部７０６から該当する用品の異常時状況情報を取得し、該当する状況にするための動作を実行させる。
【００１５】
〈第１実施形態によるエレベータ制御装置を利用したエレベータの動作〉
次に、本実施形態によるエレベータ１Ａの動作について、図２のフローチャートを参照して説明する。エレベータ１Ａの通常運転モードによる運転時に（Ｓ１）、管理者がかご内操作盤５１で、用品ごとの寿命情報の表示を要求する操作を行うと、エレベータ制御装置７Ａの操作情報取得部７０４において当該操作情報が取得される。操作情報取得部７０４で当該操作情報が取得されると（Ｓ２の「YES」）、表示制御部７０５により用品寿命推定部７０３で推定された用品ごとの寿命の情報が取得され、かご内表示装置５２に表示される（Ｓ３）。
【００１６】
表示された情報を管理者が視認し、いずれかの用品、例えば寿命が短いことが予測されている用品を指定して、疑似的に異常発生時と同等の状況にするための異常時状況動作指示操作をかご内操作盤５１で行うと、操作情報取得部７０４において当該操作の情報が取得される。操作情報取得部７０４で当該異常時状況動作指示操作の情報が取得されると（Ｓ４の「YES」）、運転モード切替部７０７により、動作制御部７０８の動作が通常運転モードから疑似運転モードに切り替えられる（Ｓ５）。
【００１７】
疑似運転モードに切り替えられると、動作制御部７０８により、当該異常時状況動作指示操作時に指定された用品の異常時状況情報が異常時状況情報記憶部７０６から取得され、該当する動作が実行される（Ｓ６）。該当する動作として例えば、一時的に安全回路を遮断して故障状態にすることで乗りかご５内の利用者の閉じ込めを発生させる動作や、乗りかご５の着床位置のずれを発生させて利用者に不都合な状況にする動作などがある。
【００１８】
その後、管理者によりかご内操作盤５１で疑似運転モードの終了を指示する操作が行われたかまたは、予め設定された期間が経過すると（Ｓ７の「YES」）、運転モード切替部７０７により、動作制御部７０８の動作が通常運転モードに切り替えられ（Ｓ８）、ステップＳ１に戻る。
【００１９】
ステップＳ４において、かご内表示装置５２に用品ごとの寿命情報が表示された後、管理者により異常発生時の動作を要求する操作が行われずに（Ｓ４の「NO」）、かご内操作盤５１で表示終了を指示する操作が行われたかまたは予め設定された一定期間が経過すると（Ｓ９の「YES」）、表示を終了させ（Ｓ１０）、ステップＳ１に戻る。この一定期間の計測は、ステップＳ２において用品ごとの寿命情報の表示を要求する操作が行われた時点から開始してもよいし、寿命情報が表示された時点から開始してもよい。
【００２０】
以上の第１実施形態によれば、エレベータの管理者が、簡易な操作で、エレベータの用品に異常が発生した際の動作を体験することができ、エレベータのリニューアルに関するエレベータ管理者の意識を向上させることができる。
【００２１】
《第２実施形態》
〈第２実施形態によるエレベータ制御装置を利用したエレベータの構成〉
本発明の第２実施形態によるエレベータ制御装置７Ｂを利用したエレベータの構成について、図３を参照して説明する。本実施形態によるエレベータ１Ｂは、エレベータ制御装置７Ｂが寿命判定部７０９を有する他は、第１実施形態で説明したエレベータ１Ａの構成と同様であるため、同一機能を有する部分の詳細な説明は省略する。
【００２２】
本実施形態において寿命判定部７０９は、用品寿命推定部７０３で推定された各用品の寿命が、所定期間以下であるか否かをそれぞれ判定する。表示制御部７０５は、寿命判定部７０９において、推定された寿命が所定期間以下であると判定された用品の情報を、かご内表示装置５２に表示させる。
【００２３】
〈第２実施形態によるエレベータ制御装置を利用したエレベータの動作〉
次に、本実施形態によるエレベータ１Ａの動作について、図４のフローチャートを参照して説明する。本実施形態においてエレベータ１Ａの通常運転モードによる運転時には（Ｓ１１）、エレベータ制御装置７Ｂの寿命判定部７０９において所定期間ごとに、用品寿命推定部７０３で推定された各用品の寿命がそれぞれ、所定期間以下であるか否かが監視される。そして、寿命が所定期間以下の用品があると判定されると（Ｓ１２の「YES」）、管理者の操作の有無に関わらず、当該用品に関し、推定された寿命の情報がかご内表示装置５２に表示される（Ｓ１４）。
【００２４】
また、ステップＳ１２で寿命が所定期間以下の用品がないと判定されているときに（Ｓ１２の「NO」）、管理者によりかご内操作盤５１で、用品ごとの寿命情報の表示を要求する操作が行われると（Ｓ１３の「YES」）、推定された用品ごとの寿命の情報がかご内表示装置５２に表示される（Ｓ１４）。
【００２５】
以降、ステップＳ１５〜Ｓ２１で実行される処理は、第１実施形態で説明したステップＳ４〜Ｓ１０の処理と同様であるため、詳細な説明は省略する。
【００２６】
以上の第２実施形態によれば、エレベータ用品のいずれかの推定寿命が所定期間以下になったときには、該当する情報を強制的にかご内表示装置に表示させることで、エレベータのリニューアルに関するエレベータ管理者の意識をさらに向上させることができる。
【００２７】
《第３実施形態》
〈第３実施形態によるエレベータ制御装置を利用したエレベータの構成〉
本発明の第３実施形態によるエレベータ制御装置７Ｃを利用したエレベータの構成について、図５を参照して説明する。本実施形態によるエレベータ１Ｃは、エレベータ制御装置７Ｃが状況予測部７１０を有する他は、第２実施形態で説明したエレベータ１Ｂの構成と同様であるため、同一機能を有する部分の詳細な説明は省略する。
【００２８】
本実施形態において状況予測部７１０は、用品ごとに、用品寿命推定部７０３で推定された寿命までの経過期間ごと、例えば寿命が３年の用品について現在から１年経過ごと（１年後、２年後、および３年後）に、寿命が近づく影響で起こりうる状況を予測する。寿命が近づく影響で起こりうる状況としては例えば、乗りかご５内の照明装置（図示せず）の明るさが、１年後は半減、２年後は点滅、３年後は寿命につき消灯等が予測される。
【００２９】
動作制御部７０８は、用品のいずれかについて、疑似的に所定期間経過後と同等の状況にするための期間経過時状況動作指示を取得すると、状況予測部７１０で予測された、該当する用品の該当する経過期間後の状況にするための動作を実行させる。
【００３０】
〈第３実施形態によるエレベータ制御装置を利用したエレベータの動作〉
次に、本実施形態によるエレベータ１Ｃの動作について、図６のフローチャートを参照して説明する。本実施形態において、ステップＳ３１〜Ｓ３４で実行される処理は、第２実施形態で説明したステップＳ１１〜Ｓ１４の処理と同様であるため、詳細な説明は省略する。
【００３１】
ステップＳ３４において用品ごとの寿命の情報がかご内表示装置５２に表示された後、管理者によりいずれかの用品を指定する操作が行われると（Ｓ３５の「YES」）、現在から当該用品の寿命までの間の経過年数ごとの情報（１年後、２年後、および３年後）が表示制御部７０５によりかご内表示装置５２に表示される（Ｓ３６）。
【００３２】
表示された情報を管理者が視認し、いずれかの経過年数を指定して、疑似的に当該年数経過時と同等の状況のするための期間経過時動作指示操作をかご内操作盤５１で行うと、操作情報取得部７０４において当該操作の情報が取得される。操作情報取得部７０４で当該期間経過時動作指示操作の情報が取得されると（Ｓ３７の「YES」）、運転モード切替部７０７により、動作制御部７０８の動作が通常運転モードから疑似運転モードに切り替えられる（Ｓ３８）。
【００３３】
疑似運転モードに切り替えられると、動作制御部７０８により、当該期間経過時動作指示操作時に指定された経過年数について、状況予測部７１０で予測された状況情報が取得され、該当する状況にするための動作が実行される（Ｓ３９）。該当する状況のするための動作としては例えば、乗りかご５内の照明の照度を下げる動作などがある。
【００３４】
その後、管理者によりかご内操作盤５１で疑似運転モードの終了を指示する操作が行われたかまたは、予め設定された期間が経過すると（Ｓ４０の「YES」）、運転モード切替部７０７により、動作制御部７０８の動作が通常運転モードに切り替えられ（Ｓ４１）、ステップＳ３１に戻る。
【００３５】
ステップＳ３４において、かご内表示装置５２に用品ごとの寿命情報が表示されてから、管理者によりいずれかの用品を指定する操作が行われずに（Ｓ３５の「NO」）、かご内操作盤５１で表示終了を指示する操作が行われたかまたは予め設定された一定期間が経過すると（Ｓ４２の「YES」）、表示を終了させ（Ｓ４３）、ステップＳ３１に戻る。
【００３６】
また、ステップＳ３６において、かご内表示装置５２に寿命までの経過年数が表示されてから、管理者により期間経過時動作実行指示操作が行われずに（Ｓ３７の「NO」）、かご内操作盤５１で表示終了を指示する操作が行われたかまたは予め設定された一定期間が経過すると（Ｓ４２の「YES」）、表示を終了させ（Ｓ４３）、ステップＳ３１に戻る。この一定期間の計測は、ステップＳ３５においていずれかの用品を指定する操作が行われてから開始してもよいし、寿命までの経過年数が表示された時点から開始してもよい。
【００３７】
以上の第３実施形態によれば、エレベータの管理者が、簡易な操作で、エレベータ用品の寿命が近づいたときの動作を体験することができ、エレベータのリニューアルに関するエレベータ管理者の意識を向上させることができる。
【００３８】
《第４実施形態》
〈第４実施形態によるエレベータ制御装置を利用したエレベータの構成〉
本発明の第４実施形態によるエレベータ制御装置を利用したエレベータの構成について、図７を参照して説明する。本実施形態によるエレベータ１Ｄは、エレベータ制御装置７Ｄが保守情報入力部７１１を有する他は、第３実施形態で説明したエレベータ１Ｃの構成と同様であるため、同一機能を有する部分の詳細な説明は省略する。
【００３９】
本実施形態において保守情報入力部７１１は、管理者の操作等により、用品ごとの保守に関する情報、例えば部品交換や清掃の実施等の情報を入力する。用品寿命推定部７０３は、エレベータの起動回数、使用環境、および保守情報入力部７１１から入力された情報に基づいて、用品ごとの寿命を推定する。
【００４０】
〈第４実施形態によるエレベータ制御装置を利用したエレベータの動作〉
本実施形態によるエレベータ１Ｄの動作は、第３実施形態で説明した図６のフローチャートで示す動作と同様であるため、詳細な説明は省略する。本実施形態では、ステップＳ３４でかご内表示装置５２に表示させる情報として、エレベータの起動回数、使用環境、および保守情報入力部７１１から入力された情報に基づいて用品寿命推定部７０３で推定された用品ごとの寿命の情報が表示制御部７０５により取得され、かご内表示装置５２に表示される。
【００４１】
以上の第４実施形態によれば、用品の保守情報も考慮して推定された精度の高い寿命情報を管理者に提供するため、管理者はリニューアルの検討が必要な用品を適切に判断することができる。
【００４２】
《第５実施形態》
〈第５実施形態によるエレベータ制御装置を利用したエレベータの構成〉
本発明の第５実施形態によるエレベータ制御装置７Ｅを利用したエレベータの構成について、図８を参照して説明する。本実施形態によるエレベータ１Ｅは、エレベータ制御装置７Ｅが作用予測部７１２を有する他は、第４実施形態で説明したエレベータ１Ｅの構成と同様であるため、同一機能を有する部分の詳細な説明は省略する。
【００４３】
本実施形態において作用予測部７１２は、状況予測部７１０で予測された情報に基づいて、用品ごとおよび寿命までの経過期間ごとに、他の用品に及ぼす作用を予測する。例えば、ガイドシューが２年後には摩耗してガイドシューが走るレール部分に傷が発生するという状況予測に基づいて、乗りかご５（他の用品）の走行時の揺れが大きくなることが予測される。
【００４４】
動作制御部７０８は、用品のいずれかについて、期間経過時状況動作指示とともに、他の用品に及ぼす作用を確認するための作用確認指示を取得すると、状況予測部７１０で予測された、該当する用品の該当する経過期間の状況にするための動作を実行させる際に、該当する用品の該当する期間経過時の他の用品に及ぼす作用を含めた動作を実行させる。
【００４５】
〈第５実施形態によるエレベータ制御装置を利用したエレベータの動作〉
次に、本実施形態によるエレベータ１Ｅの動作について、図９のフローチャートを参照して説明する。本実施形態において、ステップＳ５１〜Ｓ５６で実行される処理は、第４実施形態で説明したステップＳ３１〜Ｓ３６の処理と同様であるため、詳細な説明は省略する。
【００４６】
ステップＳ５６において該当用品の寿命までの間の経過年数ごとの情報が表示された後、管理者によりいずれかの経過年数を指定する操作が行われると（Ｓ５７の「YES」）、表示制御部７０５により、当該用品の当該経過年数について状況予測部７１０で予測された、他の用品に及ぼす作用の情報がかご内表示装置５２に表示される。また、当該他の用品に及ぼす作用の情報とともに、疑似運転モードによる運転動作に当該作用を含めるか否かを問い合わせる情報が、かご内表示装置５２に表示される（Ｓ５８）。
【００４７】
表示された情報を管理者が視認し、疑似運転モードによる運転動作に当該作用を含めることを指示する操作を行うと、操作情報取得部７０４において当該操作の情報が取得される。操作情報取得部７０４で当該指示操作の情報が取得されると（Ｓ５９の「YES」）、運転モード切替部７０７により、動作制御部７０８の動作が通常運転モードから疑似運転モードに切り替えられる（Ｓ６０）。
【００４８】
疑似運転モードに切り替えられると、動作制御部７０８により、当該期間経過時動作指示操作時に指定された経過年数について、状況予測部７１０で予測された当該用品の状況情報が取得されるとともに、作用予測部７１２で予測された他の用品に及ぼす作用の情報が取得される。そして、他の用品に及ぼす作用を含めて、該当する状況にするための動作が実行される（Ｓ６１）。例えば、ガイドシューの傷の発生時の状況と同等の状況として異音を発生させるとともに、ガイドシューの傷による乗りかご５の揺れを生じさせて走行させる。
【００４９】
その後、管理者によりかご内操作盤５１で疑似運転モードの終了を指示する操作が行われたかまたは、予め設定された期間が経過すると（Ｓ６２の「YES」）、運転モード切替部７０７により、動作制御部７０８の動作が通常運転モードに切り替えられ（Ｓ６３）、ステップＳ５１に戻る。
【００５０】
ステップＳ５４において、かご内表示装置５２に用品ごとの寿命情報が表示されてから、管理者によりいずれかの用品を指定する操作が行われずに（Ｓ５５の「NO」）、かご内操作盤５１で表示終了を指示する操作が行われたかまたは予め設定された一定期間が経過すると（Ｓ６４の「YES」）、表示を終了させ（Ｓ６５）、ステップＳ５１に戻る。
【００５１】
また、ステップＳ５６において、かご内表示装置５２に寿命までの経過年数が表示されてから、管理者により期間経過時動作実行指示操作が行われずに（Ｓ５７の「NO」）、かご内操作盤５１で表示終了を指示する操作が行われたかまたは予め設定された一定期間が経過すると（Ｓ６４の「YES」）、表示を終了させ（Ｓ６５）、ステップＳ３１に戻る。
【００５２】
また、ステップＳ５９において、疑似運転モードによる運転動作に当該作用を含めないことを指示する操作を行うと、操作情報取得部７０４において当該操作の情報が取得される。操作情報取得部７０４で当該指示操作の情報が取得されると（Ｓ５９の「NO」）、運転モード切替部７０７により、動作制御部７０８の動作が通常運転モードから疑似運転モードに切り替えられる（Ｓ６６）。
【００５３】
疑似運転モードに切り替えられると、動作制御部７０８により、当該期間経過時動作指示操作時に指定された経過年数について、状況予測部７１０で予測された状況情報が取得され、該当する状況にするための動作が実行される（Ｓ６７）。
【００５４】
その後、管理者によりかご内操作盤５１で疑似運転モードの終了を指示する操作が行われたかまたは、予め設定された期間が経過すると（Ｓ６２の「YES」）、運転モード切替部７０７により、動作制御部７０８の動作が通常運転モードに切り替えられ（Ｓ６３）、ステップＳ５１に戻る。
【００５５】
以上の第５実施形態によれば、エレベータ用品の寿命が近づいたときの動作として、他の用品に及ぼす作用を考慮した動作を体験することができ、エレベータのリニューアルに関するエレベータ管理者の意識をさらに向上させることができる。
【００５６】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５７】
１Ａ，１Ｂ，１Ｃ，１Ｄ，１Ｅ…エレベータ、２…昇降路、３…巻き上げ機、４…ロープ、５…乗りかご、６…テールコード、７Ａ，７Ｂ，７Ｃ，７Ｄ，７Ｅ…エレベータ制御装置、５１…かご内操作盤、５２…かご内表示装置、７０１…起動回数計測部、７０２…使用環境判定部、７０３…用品寿命推定部、７０４…操作情報取得部、７０５…表示制御部、７０６…異常時状況情報記憶部、７０７…運転モード切替部、７０８…動作制御部、７０９…寿命判定部、７１０…状況予測部、７１１…保守情報入力部、７１２…作用予測部
【要約】      （修正有）【課題】エレベータのリニューアルに関する、エレベータ管理者の意識を向上させるための支援を行う、エレベータ制御装置およびエレベータのリニューアル支援方法を提供する。【解決手段】実施形態によればエレベータ制御装置７Ａは、異常時状況情報記憶部７０６と動作制御部７０８とを備える。異常時状況情報記憶部７０６は、エレベータの用品ごとに、異常発生時の状況を示す異常時状況情報を記憶する。動作制御部７０８は、用品のいずれかについて、疑似的に異常発生時と同等の状況にするための異常時状況動作指示を取得すると、異常時状況情報記憶部７０６から該当する用品の異常時状況情報を取得し、エレベータに、該当する状況にするための動作を実行させる。【選択図】図１【図１】
0006871439.tif 000002
【図２】
0006871439.tif 000003
【図３】
0006871439.tif 000004
【図４】
0006871439.tif 000005
【図５】
0006871439.tif 000006
【図６】
0006871439.tif 000007
【図７】
0006871439.tif 000008
【図８】
0006871439.tif 000009
【図９】
0006871439.tif 000010